(57)【特許請求の範囲】
【請求項１】
ボスと、このボスの表面上に放射状に配置された複数枚のブレードとを備え、その外周を取り囲むように配置されたノズルから中心方向に流れ込んだ流体が、流れの方向を変えて軸方向へ流出していくことにより、回転軸線まわりに回転するとともに、
前記ブレードの前縁近傍から後縁にかけて前記ブレードの翼高さを徐々に減少させる肉盛部が形成されており、かつ、該肉盛部の表面から半径方向内側に向かって窪みが掘られたタービンホイールを備えていることを特徴とするターボチャージャー。
【請求項２】
ボスと、このボスの表面上に放射状に配置された複数枚のブレードとを備え、その外周を取り囲むように配置されたノズルから中心方向に流れ込んだ流体が、流れの方向を変えて軸方向へ流出していくことにより、回転軸線まわりに回転するとともに、
前記ブレードの前縁近傍から後縁にかけて前記ブレードの翼高さを徐々に減少させる肉盛部が形成されており、かつ、前記回転軸線に沿って延びて、前記ボスの背面と、前記肉盛部の表面とを連通する連通穴が形成されたタービンホイールを備えていることを特徴とするターボチャージャー。
【発明の詳細な説明】
【技術分野】
【０００１】
本発明は、ターボチャージャー（過給機）に関するものである。
【背景技術】
【０００２】
ターボチャージャーに使用されるタービンホイールとしては、例えば、特許文献１に開示されたものが知られている。
【先行技術文献】
【特許文献】
【０００３】
【特許文献１】特開２００３−２０１８０２号公報
【発明の概要】
【発明が解決しようとする課題】
【０００４】
また、近年のターボチャージャーにおいては、コンプレッサのさらなる高圧力比化が求められているが、上記特許文献のタービンホイールを用いたとしても、ブレードの翼根およびボスに過大な遠心応力が発生してしまい、コンプレッサのさらなる高圧力比化を図るのは困難な状況にあった。
【０００５】
本発明は、上記の事情に鑑みてなされたもので、タービンホイール全体の固有振動数を増加させることができて、タービンホイールの許容回転数（最高回転数）をアップ（増加）させることができるターボチャージャーを提供することを目的とする。
【課題を解決するための手段】
【０００６】
本発明は、上記課題を解決するため、以下の手段を採用した。
本発明に係るターボチャージャーは、ボスと、このボスの表面上に放射状に配置された複数枚のブレードとを備え、その外周を取り囲むように配置されたノズルから中心方向に流れ込んだ流体が、流れの方向を変えて軸方向へ流出していくことにより、回転軸線まわりに回転するとともに、前記ブレードの前縁近傍から後縁にかけて前記ブレードの翼高さを徐々に減少させる肉盛部が形成されており、かつ、該肉盛部の表面から半径方向内側に向かって窪みが掘られたタービンホイールを備えている。
【０００７】
本発明に係るターボチャージャーによれば、ブレードの前縁よりも下流側に少し（若干）離れた位置から後縁にかけて、ブレードの翼高さを全体的に低減させる肉盛部が設けられているとともに、各流路に、ボスの重量を低減させる窪みが形成されていることとなる。
これにより、ブレードの翼根に発生する遠心応力およびボスの中心部に発生する遠心応力を低減させることができるとともに、タービンホイール全体の固有振動数を増加させることができて、タービンホイールの許容回転数（最高回転数）をアップ（増加）させることができる。
また、本発明に係るターボチャージャーによれば、流路の表面に沿って上流側から流れてきた（燃焼ガスの）主流の一部が窪み内に入り込んで、窪み内に循環流が形成されることとなる。
これにより、（燃焼ガスの）主流の剥離を低減させることができ、境界層の拡大を抑制することができて、タービンホイール内の損失を低減させることができるとともに、タービン効率の向上を図ることができる。
さらに、本発明に係るターボチャージャーによれば、許容回転数（最高回転数）の高いタービンホイールを具備していることとなるので、コンプレッサホイールの回転数をアップ（増加）させることができて、コンプレッサの圧力比をアップ（増加）させることができる。
【０００８】
本発明に係るターボチャージャーは、ボスと、このボスの表面上に放射状に配置された複数枚のブレードとを備え、その外周を取り囲むように配置されたノズルから中心方向に流れ込んだ流体が、流れの方向を変えて軸方向へ流出していくことにより、回転軸線まわりに回転するとともに、前記ブレードの前縁近傍から後縁にかけて前記ブレードの翼高さを徐々に減少させる肉盛部が形成されており、かつ、前記回転軸線に沿って延びて、前記ボスの背面と、前記肉盛部の表面とを連通する連通穴が形成されたタービンホイールを備えている。
【０００９】
本発明に係るターボチャージャーによれば、ブレードの前縁よりも下流側に少し（若干）離れた位置から後縁にかけて、ブレードの翼高さを全体的に低減させる肉盛部が設けられているとともに、ボスの重量を低減させる連通穴が形成されていることとなる。
これにより、ブレードの翼根に発生する遠心応力およびボスの中心部に発生する遠心応力を低減させることができるとともに、タービンホイール全体の固有振動数を増加させることができて、タービンホイールの許容回転数（最高回転数）をアップ（増加）させることができる。
さらに、本発明に係るターボチャージャーによれば、許容回転数（最高回転数）の高いタービンホイールを具備していることとなるので、コンプレッサホイールの回転数をアップ（増加）させることができて、コンプレッサの圧力比をアップ（増加）させることができる。
【発明の効果】
【００１０】
本発明に係るターボチャージャーによれば、タービンホイール全体の固有振動数を増加させることができて、タービンホイールの許容回転数（最高回転数）をアップ（増加）させることができるという効果を奏する。
【図面の簡単な説明】
【００１１】
【図１】本発明の第１参考実施形態に係るタービンホイールの側断面図である。
【図２】本発明の第１実施形態に係るタービンホイールの側断面図である。
【図３】本発明の第２実施形態に係るタービンホイールの側断面図である。
【発明を実施するための形態】
【００１２】
以下、本発明に係るタービンホイールの第１参考実施形態について、図１を参照しながら説明する。
図１に示すように、本実施形態に係るタービンホイール（Turbine  Wheel）１０は、ラジアルタービン（Radial  Flow  Turbine）に適用されるものであり、ボス（ディスク）１１と、このボス１１の表面（以下、「ボス面」という。）１１ａ上に放射状に設けられた（配置された）複数枚のブレード（動翼）１２とを備えている。
タービンホイール１０の外周側（半径方向外側）には、図示しないノズル（Nozzle）が周方向に沿って配置されており、このノズルからタービンホイール１０の中心方向に流れ込んだ燃焼ガス（流体）が、直角に流れの方向を変えて軸方向へ流出していくことにより、タービンホイール１０が、回転軸線Ｃまわりに回転するようになっている。
【００１３】
各ブレード１２は、ボス１１の大径側端部１１ｂにその前縁ＬＥが位置するとともに、ボス１１の小径側端部１１ｃにその後縁ＴＥが位置するようにボス面１１ａ上に設けられている。
【００１４】
ボス面１１ａの、スロート部（ブレード１２間の距離が最も狭くなる部分）近傍の領域、すなわち、ブレード１２の翼高さが高くなり、かつ、ブレード１２の翼根に発生する遠心応力が高くなる領域には、肉盛部１３が形成されている。この肉盛部１３は、一のブレード１２の翼根から、一のブレード１２と隣り合う他のブレード１２の翼根にわたって形成されている。また、この肉盛部１３は、スロート部よりも上流側で隆起し始め、スロート部よりも少し（若干）下流側で最も高くなり、小径側端部１１ｃの端面（出口側の端面）１１ｄのところで終了する、あるいは、スロート部よりも上流側で隆起し始め、スロート部よりも上流側で最も高くなり、スロート部よりも上流で終了する、断面視略山型の突起である。
なお、図１中の破線は、肉盛部１３が形成されていない従来のボス面を示している。
【００１５】
本実施形態に係るタービンホイール１０によれば、ブレード１２の後縁部（より詳しくは、スロート部近傍）に、ブレード１２の後縁部における翼高さを低減させる肉盛部１３が設けられている。
これにより、ブレード１２の翼根に発生する遠心応力を低減させることができるとともに、タービンホイール１０全体の固有振動数を増加させることができて、タービンホイール１０の許容回転数（最高回転数）をアップ（増加）させることができる。応力ピークはスロート部より上流側に発生することが多いため、スロート部上流側に前記の肉盛部を設けることで、有効に応力を低減させることができる。
【００１６】
本発明に係るタービンホイールの第１実施形態について、図２を参照しながら説明する。
図２に示すように、本実施形態に係るタービンホイール２０は、肉盛部１３の代わりに、肉盛部２１および窪み２２が設けられているという点で上述した第１参考形態のものと異なる。その他の構成要素については上述した第１参考形態のものと同じであるので、ここではそれら構成要素についての説明は省略する。
【００１７】
肉盛部２１は、一のブレード１２の翼根から、一のブレード１２と隣り合う他のブレード１２の翼根にわたって形成されている。また、この肉盛部２１は、大径側端部１１ｂの端面（入口側の端面）１１ｅよりも少し（若干）下流側で隆起し始め、下流側に向かって徐々に高くなり、ブレード１２の後縁ＴＥ付近で最も高くなって終了する突起である。
なお、図１中の破線は、肉盛部２１が形成されていない従来のボス面を示している。
【００１８】
窪み２２は、肉盛部２１の表面２１ａから半径方向内側（より詳しくは、回転軸線Ｃ）に向かって掘られた、平面視円形状を呈する複数個の穴である。また、この窪み２２は、一のブレード１２と、一のブレード１２と隣り合う他のブレード１２との間に形成された流路の中央部に、ブレード１２の翼根に沿って複数個（本実施形態では２個）ずつ形成されている。
【００１９】
本実施形態に係るタービンホイール２０によれば、ブレード１２の前縁ＬＥよりも下流側に少し（若干）離れた位置から後縁ＴＥにかけて、ブレード１２の翼高さを全体的に低減させる肉盛部２１が設けられているとともに、各流路の中央部に、ボス１１の重量を低減させる窪み２２が形成されている。
これにより、ブレード１２の翼根に発生する遠心応力およびボス１１の中心部に発生する遠心応力を低減させることができるとともに、タービンホイール２０全体の固有振動数を増加させることができて、タービンホイール２０の許容回転数（最高回転数）をアップ（増加）させることができる。
【００２０】
また、本実施形態に係るタービンホイール２０によれば、流路の中央部を肉盛部２１の表面２１ａに沿って上流側から流れてきた（燃焼ガスの）主流の一部が窪み２２内に入り込んで、窪み２２内に循環流が形成されることとなる。
これにより、肉盛部２１の表面２１ａに沿って流れる（燃焼ガスの）主流の剥離を低減させることができ、肉盛部２１の表面２１ａに発生する境界層の拡大を抑制することができて、タービンホイール２０内の損失を低減させることができるとともに、タービン効率の向上を図ることができる。
【００２１】
さらに、本実施形態に係るタービンホイール２０によれば、窪み２２の抜き勾配が０度よりも大きくなるように、すなわち、窪み２２の内径が肉盛部２１の表面２１ａから半径方向内側に向かって徐々に小さくなるように設定されている。
これにより、精密鋳造での製作が可能となり、製造コストを抑制することができる。
【００２２】
なお、本実施形態では、窪み２２の抜き勾配が０度よりも大きくなるように設定しているが、本発明はこれに限定されるものではなく、窪み２２の抜き勾配を０度、すなわち、窪み２２の内径が肉盛部２１の表面２１ａから半径方向内側に向かって同一となるように設定することもできる。
また、窪み２２の抜き勾配を０度としても、精密鋳造での製作が可能であり、製造コストを抑制することができる。
【００２３】
本発明に係るタービンホイールの第２実施形態について、図３を参照しながら説明する。
図３に示すように、本実施形態に係るタービンホイール３０は、窪み２２の代わりに、連通穴３１が設けられているという点で上述した第１実施形態のものと異なる。その他の構成要素については上述した第１実施形態のものと同じであるので、ここではそれら構成要素についての説明は省略する。
【００２４】
連通穴３１は、回転軸線Ｃに沿って延びるとともに、ボス１１の背面１１ｆと肉盛部２１の表面２１ａとを連通する穴であって、各流路に対して少なくとも一つずつ設けられている。
【００２５】
本実施形態に係るタービンホイール３０によれば、ボス１１の背面１１ｆ側に存する（燃焼）ガスが連通穴３１を通って流路内に流れ込むこととなる。
これにより、タービンホイール３０内の損失をより低減させることができ、タービン効率の向上をさらに図ることができる。
【００２６】
また、本実施形態に係るタービンホイール３０によれば、ブレード１２の前縁ＬＥよりも下流側に少し（若干）離れた位置から後縁ＴＥにかけて、ブレード１２の翼高さを全体的に低減させる肉盛部２１が設けられているとともに、ボス１１の重量を低減させる連通穴３１が形成されている。
これにより、ブレード１２の翼根に発生する遠心応力およびボス１１の中心部に発生する遠心応力を低減させることができるとともに、タービンホイール３０全体の固有振動数を増加させることができて、タービンホイール３０の許容回転数（最高回転数）をアップ（増加）させることができる。
【００２７】
なお、本発明はラジアルタービンのみに適用され得るものではなく、斜流タービンにも適用され得るものである。
また、図は全て背板付きのタービンホイールを示しているが、スカラップ付きタービンホイールにも適用可能である。
【００２８】
そして、本発明に係るタービンホイールを備えたターボチャージャー（過給機）によれば、コンプレッサホイールの回転数をアップ（増加）させることができて、コンプレッサの圧力比をアップ（増加）させることができる。
【符号の説明】
【００２９】
１０    タービンホイール
１１    ボス
１１ａ  表面
１１ｆ  背面
１２    ブレード
１３    肉盛部
２０    タービンホイール
２１    肉盛部
２２    窪み
３０    タービンホイール
３１    連通穴
Ｃ      回転軸線
ＬＥ    前縁
ＴＥ    後縁
【図１】
0005230784.tif 000002
【図２】
0005230784.tif 000003
【図３】
0005230784.tif 000004